(57)【要約】【課題】ハンドルをオン位置に回転させるだけで自動的にハンドルをオン位置にロックすることが可能なハンドルロック機構付ブレーカを提供する。【解決手段】器体１と、本体１０および把手１１を有し本体１０に係止部１２を形成したハンドル２と、開閉・トリップ機構３と、器体１内に配設されて本体１０に対向させた形で本体方向に付勢されて係止部１２に係止することによりハンドル２のオン位置でオフ方向への回動を阻止するハンドル係止部材１５と、器体１外から操作可能に器体１０に配設されてハンドル係止部材１５をその付勢力に逆らって本体の係止部１２から離間させる解除部材１６とを備え、係止部１２はハンドル２をオフ位置からオン位置に回動させる際に、ハンドル係止部材１５を押して乗り越える。【選択図】        図１
2005209511.tif 000002
【特許請求の範囲】
【請求項１】
器体と、この器体内に移動自在に保持される本体を有しこの本体に連設されて前記器体表面から外部に突出する把手を有し前記本体に係止部を形成したハンドルと、このハンドルのオンオフ操作により開閉駆動するとともにオン時に異常電流が流れると強制開極する接点を有する開閉・トリップ機構と、前記器体内に配設されて前記本体に対向させた形で前記本体方向に付勢されて前記係止部に係止することにより前記接点をオンまたはオフにする前記ハンドルの第１の位置から前記接点をオフまたはオンにする前記ハンドルの第２の位置に前記ハンドルが移動するのを阻止するハンドル係止部材と、前記器体外から操作可能に前記器体に配設されて前記ハンドル係止部材をその付勢力に逆らって前記本体の係止部から離間させて前記ハンドルを前記第１の位置から前記第２の位置へ移動するのを許容する解除部材とを備え、
前記係止部と前記ハンドル係止部材は、前記係止部が前記ハンドルを前記第２の位置から前記第１の位置に移動させる際に、前記ハンドル係止部材を押して乗り越えるように構成されたことを特徴とするハンドルロック機構付ブレーカ。
【請求項２】
前記係止部は前記本体に突設形成され、前記ハンドル係止部材は、前記ハンドルを移動させた際にその先端が前記本体のうち前記係止部のみに当接し得る位置で前記器体に係止する請求項１記載のハンドルロック機構付ブレーカ。
【請求項３】
前記解除部材は、前記器体上面から外部に突出する形で付勢された状態に前記器体の上下方向に移動自在に配設され、前記解除部材をその付勢力に逆らって前記器体内に移動させたときに前記ハンドル係止部材を前記ハンドルの本体から離れる方向に駆動する請求項１または請求項２記載のハンドルロック機構付ブレーカ。
【請求項４】
前記解除部材は、前記器体内で回動自在に支持されて一部が器体上面から外部に突出する形で配設され、前記解除部材を一方側に回動させたときに前記ハンドル係止部材を前記本体から離れる方向に駆動する請求項１または請求項２記載のハンドルロック機構付ブレーカ。
【発明の詳細な説明】
【技術分野】
【０００１】
本発明は、回路遮断器、例えばオン状態において、ハンドルのオフ方向への回動操作をロックできるハンドルロック機構付ブレーカに関するものである。
【背景技術】
【０００２】
第１の従来例として、特許文献１に示すものが存在する。このものは、オン状態にあるハンドルにハンドルロックを被せることでハンドルをオフ方向に回転できないようにしたものである。また、このものは、オフ状態にあるハンドルにハンドルロックを被せることでハンドルをオン方向に回転できないようにすることもできる。
【０００３】
第２の従来例として、特許文献２に示すものが存在する。このものは、ハンドルをオンまたはオフ位置に移動させた後、操作スイッチを操作して、操作スイッチの一部をハンドルの端部に係合させることで、ハンドルをオフまたはオン位置に回転できないようにしたものである。
【特許文献１】特開平７−２２０６０９号公報
【特許文献２】特開２００１−１１０２９４号公報
【発明の開示】
【発明が解決しようとする課題】
【０００４】
第１の従来例にあっては、ハンドルロック自体がハンドルに着脱式であるので、ハンドルロックを紛失してしまう恐れがあった。
【０００５】
また第１の従来例および第２の従来例は、ハンドルをオン位置でロックする際、ともにハンドルをオン位置に操作し、その状態でハンドルロックを被せたり操作スイッチを操作したりする必要があった。したがって、従来は、オンロックする場合、ハンドルを回動させた後、ハンドルロック部材を操作してロックしており、煩わしいという欠点があった。
【０００６】
本発明は、上記課題に鑑みて発明されたものであり、その目的は、ハンドルをオン位置に回転させるだけで自動的にハンドルをオン位置にロックすることが可能なハンドルロック機構付ブレーカを提供することにある。
【課題を解決するための手段】
【０００７】
この発明のハンドルロック機構付ブレーカは、器体と、この器体内に移動自在に保持される本体を有しこの本体に連設されて前記器体表面から外部に突出する把手を有し前記本体に係止部を形成したハンドルと、このハンドルのオンオフ操作により開閉駆動するとともにオン時に異常電流が流れると強制開極する接点を有する開閉・トリップ機構と、前記器体内に配設されて前記本体に対向させた形で前記本体方向に付勢されて前記係止部に係止することにより前記接点をオンまたはオフにする前記ハンドルの第１の位置から前記接点をオフまたはオンにする前記ハンドルの第２の位置に前記ハンドルが移動するのを阻止するハンドル係止部材と、前記器体外から操作可能に前記器体に配設されて前記ハンドル係止部材をその付勢力に逆らって前記本体の係止部から離間させて前記ハンドルを前記第１の位置から前記第２の位置へ移動するのを許容する解除部材とを備え、
前記係止部と前記ハンドル係止部材は、前記係止部が前記ハンドルを前記第２の位置から前記第１の位置に移動させる際に、前記ハンドル係止部材を押して乗り越えるように構成されたことを特徴とするものである。
【０００８】
上記構成において、前記係止部は前記本体に突設形成され、前記ハンドル係止部材は、前記ハンドルを移動させた際にその先端が前記本体のうち前記係止部のみに当接し得る位置で前記器体に係止するものである。
【０００９】
上記構成において、前記解除部材は、前記器体上面から外部に突出する形で付勢された状態に前記器体の上下方向に移動自在に配設され、前記解除部材をその付勢力に逆らって前記器体内に移動させたときに前記ハンドル係止部材を前記ハンドルの本体から離れる方向に駆動する。
【００１０】
上記構成において、前記解除部材は、前記器体内で回動自在に支持されて一部が器体上面から外部に突出する形で配設され、前記解除部材を一方側に回動させたときに前記ハンドル係止部材を前記本体から離れる方向に駆動する。
【発明の効果】
【００１１】
この発明のハンドルロック機構付ブレーカによれば、ハンドルをオフ位置からオン位置に移動させるだけで、係止部がハンドル係止部を乗り越えるため、ハンドルをオン位置に操作性よくロックさせることができる。また、ロックの解除は、解除部材を介してハンドル係止部材の先端から係止部の係止状態を解除し、その状態でハンドルをオフ位置に回転させれば良い。
【００１２】
ハンドル係止部材は本体の係止部のみに当接し得る位置で器体に係止するため、ハンドルを回転させる際、ハンドル係止部材の先端がハンドルのうち係止部以外に全く当接せず、ハンドルをスムーズに回転させることができる。
【００１３】
解除部材が器体の上下方向に移動自在に配設されたため、解除部材を付勢力に逆らって器体内に押圧するだけでハンドル係止部材を移動させて係止部の係止状態を解除できる。
【００１４】
解除部材が器体内で回動自在に支持されているため、解除部材を一方側に回転させるだけでハンドル係止部材を移動させて係止部の係止状態を解除できる。
【発明を実施するための最良の形態】
【００１５】
この発明の第１の実施の形態を図１から図３により説明する。すなわち、このハンドルロック機構付ブレーカは、器体１と、ハンドル２と、開閉・トリップ機構３と、ハンドル係止部材１５と、解除部材１６を有する。
【００１６】
器体１は、両端部に端子４、５を有し、内部の端子４、５間に端子５に接続された固定接点６、固定接点６に接離する可動接点７を有する可動接触子８、可動接触子８に接続された可撓電線９、過大な電流を検出するための電流検出手段２０等が配置され、可撓電線９が電流検出手段２０等を介して端子４に接続され、これらにより内部電路を構成している。
【００１７】
ハンドル２は、器体１内に回動自在に保持される本体１０を有し、この本体１０に連設されて器体１のハンドル穴２１を通して上面から外部に突出する把手１１を有し、本体１０の外周面に係止部１２を形成している。実施の形態では、本体１０の中心が軸１３により器体１に軸支され、ハンドル復帰ばね１４によりオフ方向に付勢されている。係止部１２は、本体１０の外周面の所定位置に突設形成され、後述のようにハンドル２をオフ位置からオン位置に回動させる際に、ハンドル係止部材１５を押してハンドル係止部材１５の先端を乗り越えるものである。
【００１８】
開閉・トリップ機構３は、可動接触子８を有し、ハンドル２のオンオフ操作により可動接点７を固定接点６に対して開閉駆動するとともに可動接点７と固定接点６の閉極時に異常電流が流れると可動接触子８を強制開極する。
【００１９】
ハンドル係止部材１５は、本体１０に先端を対向させた形で本体１０に対して進退可能に配置され、かつ、本体１０に接近する方向に付勢されてハンドル２のオン位置で係止部１２に係止して、ハンドル２のオフ方向への回動を阻止するものである。実施の形態では、器体１内において軸１３に直交する方向にガイド凹部２２を設け、ガイド凹部２２にハンドル係止部材１５を移動自在に収納し、かつハンドル係止部材１５の後端部とガイド凹部２２の内端との間に圧縮コイルばねを用いたばね２３を介在して、ハンドル係止部材１５の先端を本体１０に接近する方向に付勢している。この場合、ハンドル２を回転させた際にハンドル係止部材１５の先端が本体１０のうち係止部１２のみに当接し得る位置で器体１に係止するように、器体１にストッパ部２４を設け、ハンドル係止部材１５の先端側部に設けた係合部２５が係止する。
【００２０】
ここで、係止部１２は、ハンドル２をオフ位置からオン位置に回動させる際に、ハンドル係止部材１５を押してハンドル係止部材１５の先端を乗り越えるもので、乗り越えやすくするため、ハンドル係止部材１５の先端が先細となる形に、先端面を一方側面が徐々に接近する、ハンドル２のオフ位置の係止部１２に向く、傾斜面２６に形成し、ハンドル２をオフ位置からオン位置へ回動する際に係止部１２が傾斜面２６に当接しばね２３に抗してハンドル係止部材１５を後退させて乗り越える。
【００２１】
解除部材１６は、器体１外から操作可能に器体１に配設されてハンドル係止部材１５をその付勢力に逆らって本体１０の係止部１２から離れる方向に駆動するものである。実施の形態では、器体１のハンドル２に隣接して器体１の上面に開口した解除部材収納部２７が設けられ、これに解除部材１６が上下移動自在に収納されている。解除部材１６は収納部２７内でばね２８によりハンドル突出方向に器体１の上面から外部に突出する形で付勢されている。下端面２９はテーパが付いており、ハンドル係止部材１５の後端部に設けた、テーパの付いた受け部３０に対向し、解除部材１６の上端部をばね２８に抗して押し込むと下端面２９で受け部３０を押してハンドル係止部材１５をばね２３に抗して後退させ、係止部１２から離れる。
【００２２】
図１はハンドル２がオフ位置にある状態であり、可動接触子８は固定接点６から開離している。このとき、ハンドル係止部材１５はばね２３により先端が本体１０に接近した状態に進出し、ストッパ部２４によって支持されている。本体１０の器体１からの露出面には「ＯＦＦ」の表示が現れる。
【００２３】
図２はハンドル２をオフ位置の状態からオン位置へ回動した状態である。このとき、開閉・トリップ機構３により可動接触子８が固定接点６に接触する。また係止部１２がハンドル係止部材１５の傾斜面２６を押してハンドル係止部材１５の先端を乗り越える。ハンドル係止部材１５はばね２３により一端後退した後係止部１２が通りすぎると進出状態に復帰し、ストッパ部２４に係止する。このため、ハンドル２はオン位置からオフ位置への回動がロックされる。本体１０の器体１からの露出面には「ＯＮ ＬＯＣＫ」の表示が現れる。
【００２４】
図３はハンドル２のオン位置で、解除部材１６を押し込み、ハンドル２をオフ位置に操作した状態である。このとき、解除部材１６でハンドル係止部材１５が後退して係止部１２から離れるのでロック解除となり、ハンドル２をオフ方向に回動可能となる。解除部材１６の押し込みを解除すると解除部材１６はばね２８により図１の状態に復帰する。
【００２５】
この発明の第２の実施の形態を図４から図６により説明する。第１の実施の形態において、解除部材１６は、器体１内で回動自在に支持されて一部が器体１の上面から外部に突出する形で配設され、解除部材１６を一方側に回動させたときにハンドル係止部材１５を本体１０から離れる方向に駆動するものである。
【００２６】
実施の形態では、解除部材収納部２７内にハンドル軸１３と平行な軸３２を有し、軸３２により解除部材１６を回動自在に支持している。解除部材１６の上端はハンドル２と同方向に器体１外に突出し、下端はハンドル係止部材１５に設けた例えば丸棒状の受け部３０に係合している。このためハンドル係止部材１５のばね２３により解除部材１６が回動して収納部２７の内壁に係止し上端部は垂直姿勢に支持されている。図４から図５は図１から図２と同様の動作であり、ハンドル２をオン操作することでオン位置にロックされる。図５から図６は解除部材１６をハンドル２側に倒した状態でこのとき下端部で受け部３０を押してハンドル係止部材１５をばね２３に抗して後退させ、係止部１２からハンドル係止部材１５を離間させる。これによりハンドル２はオフ方向に操作することができる。
【００２７】
なお、ハンドルのオン状態で電路に異常電流が流れると開閉・トリップ機構は引外し手段によってラッチ部材が引外され、可動接触子を強制開極することができるので、ハンドルがオン位置にロックされていてもトリップ動作できる。
【００２８】
また、上記実施の形態では、オン位置をロックしたが、オフ位置をロックするように構成することも可能である。さらにハンドル係止部材１５の先端の傾斜面２６はなくても係止部１２は乗り越えるように構成することが可能である。また傾斜面２６をハンドル係止部材１５ではなく係止部１２に設けることができる。
【図面の簡単な説明】
【００２９】
【図１】（ａ）はこの発明の第１の実施の形態のオフ状態の部分断面側面図、（ｂ）は平面図である。
【図２】（ａ）はオン状態の部分断面側面図、（ｂ）は平面図である。
【図３】（ａ）は解除部材を押してハンドルをオフにした状態の部分断面側面図、（ｂ）は平面図である。
【図４】（ａ）は第２の実施の形態のオフ状態の部分断面側面図、（ｂ）は平面図である。
【図５】（ａ）はオン状態の部分断面側面図、（ｂ）は平面図である。
【図６】（ａ）は解除部材を回動してハンドルをオフにした状態の部分断面側面図、（ｂ）は平面図である。
【符号の説明】
【００３０】
１    器体
２    ハンドル
３    開閉・トリップ機構
６    固定接点
７    可動接点
８    可動接触子
１０    本体
１１    把手
１２    係止部
１５    ハンドル係止部材
１６    解除部材
２３    ばね
２４    ストッパ部
２８    ばね
３０    受け部
３２    軸
【図１】
2005209511.tif 000003
【図２】
2005209511.tif 000004
【図３】
2005209511.tif 000005
【図４】
2005209511.tif 000006
【図５】
2005209511.tif 000007
【図６】
2005209511.tif 000008